(57)【特許請求の範囲】
【請求項１】
フィールド機器と通信を行って取得した機器情報を表示装置に表示する機器情報表示装置において、
前記表示装置に表示された前記機器情報を取得した位置を示す第１位置情報と、前記表示装置に表示された前記機器情報に対する操作指示に応じて変更された前記表示装置の表示内容を再現するための再現情報とを対応させて記憶する記憶手段と、
現在の位置を示す第２位置情報を取得する位置情報取得手段と、
前記第１，第２位置情報で示される位置の距離を算出し、該距離が予め規定された基準距離以下である場合に、前記第１位置情報に対応する前記再現情報を用いて前記表示装置の表示内容を前記表示装置に再現させる表示制御手段と
を備えることを特徴とする機器情報表示装置。
【請求項２】
前記表示制御手段は、前記再現情報を用いた表示内容の再現を、ウィンドウを単位として行うことを特徴とする請求項１記載の機器情報表示装置。
【請求項３】
前記表示制御手段は、前記操作指示に応じて前記表示装置の表示内容が変更された場合に、前記位置情報取得手段で取得される前記第２位置情報を前記第１位置情報として前記再現情報に対応させて前記記憶手段に記憶させることを特徴とする請求項１又は請求項２記載の機器情報表示装置。
【請求項４】
前記記憶手段に記憶された前記再現情報を外部に出力可能であるとともに、前記記憶手段に記憶させるべき再現情報を外部から入力可能である入出力手段を備えることを特徴とする請求項１から請求項３の何れか一項に記載の機器情報表示装置。
【請求項５】
前記表示制御手段は、前記記憶手段に記憶された前記第１位置情報で示される位置と、前記位置情報取得手段で取得される前記第２位置情報で示される位置との関係を示す二次元マップを前記表示装置に表示させることが可能であることを特徴とする請求項１から請求項４の何れか一項に記載の機器情報表示装置。
【請求項６】
フィールド機器と通信を行って取得した機器情報を表示装置に表示する機器情報表示方法であって、
前記表示装置に表示された前記機器情報を取得した位置を示す第１位置情報を取得する第１ステップと、
前記表示装置に表示された前記機器情報に対する操作指示に応じて変更された前記表示装置の表示内容を再現するための再現情報を前記第１位置情報に対応させて記憶する第２ステップと、
現在の位置を示す第２位置情報を取得する第３ステップと、
前記第１，第２位置情報で示される位置の距離を算出し、該距離が予め規定された基準距離以下である場合に、前記第１位置情報に対応する前記再現情報を用いて前記表示装置の表示内容を前記表示装置に再現する第４ステップと
を有することを特徴とする機器情報表示方法。
【発明の詳細な説明】
【技術分野】
【０００１】
本発明は、フィールド機器の機器情報を表示する機器情報表示装置及び方法に関する。
【背景技術】
【０００２】
従来から、プラントや工場等においては、高度な自動操業を実現すべく、フィールド機器と呼ばれる現場機器（測定器、操作器）と、これらの管理及び制御を行う機器管理装置とが通信バスを介して接続された分散制御システム（ＤＣＳ：Distributed Control System）が構築されている。このようなプラントには様々なメーカーから提供されるフィールド機器が設置されることが多いが、仕様が異なるフィールド機器が混在すると管理が困難になる。そこで、従来からフィールド機器の特性や属性を記述する言語であるＥＤＤＬ（Electronic Device Description Language）を用いて、様々なメーカーから提供されるフィールド機器の仕様の相違を吸収することにより統一的な管理が実現されている。
【０００３】
ここで、プラント等に設置されるフィールド機器は、異常な動作の予防、測定精度の維持等の観点から、作業者によるメンテナンスが定期又は不定期に行われる。フィールド機器のメンテナンスは、フィールド機器の設定や調整を行うための専用のツール（フィールド機器設定ツール）がインストールされたコンピュータやＰＤＡ（Personal Digital Assistant）等の携帯端末装置を用いて行われることが多い。尚、このフィールド機器設定ツールにおいても、メンテナンス対象のフィールド機器の特性や属性を認識するために、上述したＥＤＤＬが用いられている。
【０００４】
具体的に、フィールド機器のメンテナンスを行う場合には、作業者が、まずメンテナンス対象のフィールド機器とフィールド機器設定ツールがインストールされた携帯端末装置とをケーブル（例えば、ＵＳＢ（Universal Serial Bus）ケーブル）で接続する。次に、作業者が、携帯端末装置を操作してフィールド機器から機器情報（パラメータ）を取得させるとともに取得させた機器情報を表示させる。そして、携帯端末装置に表示された機器情報を参照し、必要であれば作業者が携帯端末装置を操作して機器情報を変更した上でフィールド機器に対する機器情報の設定指示を行う。このようにして、フィールド機器に対する各種設定や調整が行われる。
【０００５】
以下の特許文献１には、ｅ−ＥＤＤ（Enhanced Electronic Device Description）規格に準拠しながら、フィールド機器の機器情報をマルチウィンドウ環境で表示することを可能にした機器情報表示装置が開示されている。また、以下の特許文献２には、機器情報の表示方法を規定するテンプレートに従って機器情報の表示を行う機器情報表示装置が開示されている。更に、以下の特許文献３には、ＤＴＭ（Device Type Manager）技術を用いたツールにおいて、ユーザインターフェイスの変更を可能とする技術が開示されている。
【先行技術文献】
【特許文献】
【０００６】
【特許文献１】特開２０１０−７９３８４号公報
【特許文献２】特開２００６−２５２１４５号公報
【特許文献３】米国特許出願公開第２００７／００７７６６５号明細書
【発明の概要】
【発明が解決しようとする課題】
【０００７】
ところで、上述した特許文献１に開示された技術は、フィールド機器のベンダが用意するＤＤ（Device Description）ファイルを用いて機器情報の表示を行っている。このＤＤファイルには、ベンダが提供するフィールド機器の全ての特性や属性以外に表示メニューも定義されているため、表示される機器情報の数は膨大になる。すると、ユーザが参照すべき機器情報に辿り着くまでに時間がかかってしまうことになり、操作性が悪いという問題がある。また、表示される機器情報の数が膨大であることから、例えば名称が同じであっても特性や属性が異なる機器情報を誤って参照してしまう等の誤操作を招く虞がある。
【０００８】
また、上述した特許文献２に開示された技術は、機器情報の表示方法を変更することが可能であるものの、その表示方法を規定するテンプレートをテキスト形式で記述しなければならず使い勝手が悪いという問題がある。上述した特許文献３に開示された技術は、グラフィカルにユーザインターフェイスの変更を可能とする点を開示するものの、ＥＤＤ規格に準拠したものではなく、また独自フォーマットで表示メニューの構造を定義しているため、汎用性及び拡張性に欠けるという問題がある。
【０００９】
ここで、作業者がフィールド機器のメンテナンスを行う上で参照する必要のある機器情報は、メンテナンス対象のフィールド機器毎にほぼ固定されており、この固定された機器情報以外の機器情報を参照することは異常が生じた場合等を除けば殆どない。このため、過去にメンテナンス作業が行われた際に作業者によって参照された機器情報が自動的に表示されるようになれば、作業者が参照すべき機器情報を選択する手間が省け、作業効率を飛躍的に向上させることができると考えられる。
【００１０】
本発明は上記事情に鑑みてなされたものであり、ユーザが必要になるであろう機器情報を自動的に表示することによってユーザの作業効率を向上させることができる機器情報表示装置及び方法を提供することを目的とする。
【課題を解決するための手段】
【００１１】
上記課題を解決するために、本発明の機器情報表示装置は、フィールド機器（２）と通信を行って取得した機器情報を表示装置（１ｂ）に表示する機器情報表示装置（１〜４）において、前記表示装置に表示された前記機器情報を取得した位置を示す第１位置情報と、前記表示装置に表示された前記機器情報に対する操作指示に応じて変更された前記表示装置の表示内容を再現するための再現情報とを対応させて記憶する記憶手段（Ｄ１）と、現在の位置を示す第２位置情報を取得する位置情報取得手段（１６）と、前記第１，第２位置情報で示される位置の距離を算出し、該距離が予め規定された基準距離以下である場合に、前記第１位置情報に対応する前記再現情報を用いて前記表示装置の表示内容を前記表示装置に再現させる表示制御手段（１２、１３、１７）とを備えることを特徴としている。
この発明によると、記憶手段に記憶された第１位置情報で示される位置と、位置情報取得手段で取得された第２位置情報で示される位置との距離が算出され、この距離が基準距離以下である場合に、第１位置情報に対応する再現情報を用いて表示装置の表示内容が表示装置に再現される。
また、本発明の機器情報表示装置は、前記表示制御手段が、前記再現情報を用いた表示内容の再現を、ウィンドウ（Ｗ１，Ｗ２）を単位として行うことを特徴としている。
また、本発明の機器情報表示装置は、前記表示制御手段が、前記操作指示に応じて前記表示装置の表示内容が変更された場合に、前記位置情報取得手段で取得される前記第２位置情報を前記第１位置情報として前記再現情報に対応させて前記記憶手段に記憶させることを特徴としている。
また、本発明の機器情報表示装置は、前記記憶手段に記憶された前記再現情報を外部に出力可能であるとともに、前記記憶手段に記憶させるべき再現情報を外部から入力可能である入出力手段（２１）を備えることを特徴としている。
また、本発明の機器情報表示装置は、前記表示制御手段が、前記記憶手段に記憶された前記第１位置情報で示される位置と、前記位置情報取得手段で取得される前記第２位置情報で示される位置との関係を示す二次元マップを前記表示装置に表示させることが可能であることを特徴としている。
本発明の機器情報表示方法は、フィールド機器（２）と通信を行って取得した機器情報を表示装置（１ｂ）に表示する機器情報表示方法であって、前記表示装置に表示された前記機器情報を取得した位置を示す第１位置情報を取得する第１ステップと、前記表示装置に表示された前記機器情報に対する操作指示に応じて変更された前記表示装置の表示内容を再現するための再現情報を前記第１位置情報に対応させて記憶する第２ステップと、現在の位置を示す第２位置情報を取得する第３ステップと、前記第１，第２位置情報で示される位置の距離を算出し、該距離が予め規定された基準距離以下である場合に、前記第１位置情報に対応する前記再現情報を用いて前記表示装置の表示内容を前記表示装置に再現する第４ステップとを有することを特徴としている。
【発明の効果】
【００１２】
本発明によれば、記憶手段に記憶された第１位置情報で示される位置と、位置情報取得手段で取得された第２位置情報で示される位置との距離を算出し、この距離が基準距離以下である場合に、第１位置情報に対応する再現情報を用いて表示装置の表示内容を表示装置に再現しているため、ユーザが必要になるであろう機器情報を自動的に表示することができ、これによりユーザの作業効率を向上させることができるという効果がある。
【図面の簡単な説明】
【００１３】
【図１】本発明の第１実施形態による機器情報表示装置の外観を示す図である。
【図２】本発明の第１実施形態による機器情報表示装置の要部構成を示すブロック図である。
【図３】本発明の第１実施形態による機器情報表示装置に表示される初期ウィンドウを示す図である。
【図４】本発明の第１実施形態による機器情報表示装置における表示例を示す図である。
【図５】本発明の第２実施形態による機器情報表示装置の要部構成を示すブロック図である。
【図６】本発明の第２実施形態による機器情報表示装置における表示例を示す図である。
【図７】本発明の第３実施形態による機器情報表示装置の要部構成を示すブロック図である。
【図８】本発明の第３実施形態による機器情報表示装置における表示例を示す図である。
【図９】本発明の第４実施形態による機器情報表示装置の要部構成を示すブロック図である。
【図１０】本発明の第４実施形態による機器情報表示装置における表示例を示す図である。
【発明を実施するための形態】
【００１４】
以下、図面を参照して本発明の実施形態による機器情報表示装置及び方法について詳細に説明する。
【００１５】
〔第１実施形態〕
図１は、本発明の第１実施形態による機器情報表示装置の外観を示す図である。図１に示す通り、本実施形態の機器情報表示装置１は、プラントや工場に設置されたフィールド機器２に対してネットワークＮにより接続され、フィールド機器２との間でネットワークＮを介した通信を行うことにより、フィールド機器２の機器情報（パラメータ）を取得し、取得したパラメータを表示する。
【００１６】
フィールド機器２は、例えば流量計や温度センサ等のセンサ機器、流量制御弁や開閉弁等のバルブ機器、ファンやモータ等のアクチュエータ機器、その他のプラントや工場の現場に設置される機器である。このフィールド機器２は、プラント等に複数設置されており、各々がプラント等に敷設されたネットワークＮに接続されており、同じくネットワークＮに接続された管理装置(図示省略）によって管理される。尚、図１においては２台のフィールド機器２のみ図示しているが、フィールド機器２の数は任意である。
【００１７】
機器情報表示装置１は、例えばキーボードやポインティングデバイス等の入力装置１ａ、液晶表示装置等の表示装置１ｂ、通信装置１ｃ、ＧＰＳ装置１ｄ（位置情報取得手段）、及びドライブ装置１ｅ等を備えるノート型のパーソナルコンピュータ等で実現される。尚、通信装置１ｃ及びＧＰＳ装置１ｄは、図１では図示を省略している。これらについては、図２を参照されたい。
【００１８】
ＧＰＳ装置１ｄは、機器情報表示装置１の位置を測定するために設けられており、全地球測位システム（Global Positioning System）で用いられる衛星からの電波を受信して受信信号を出力する。ドライブ装置１ｅは、例えばＣＤ−ＲＯＭ又はＤＶＤ（登録商標）−ＲＯＭ等のコンピュータ読み取り可能な記録媒体Ｍに記録されているデータの読み出しを行う装置である。尚、機器情報表示装置１の機能（フィールド機器２と通信する機能、フィールド機器２から取得したパラメータを表示する機能等）は、記録媒体Ｍに記録されたプログラムをドライブ装置１ｅによって読み出してインストールすることによりソフトウェア的に実現される。
【００１９】
図２は、本発明の第１実施形態による機器情報表示装置の要部構成を示すブロック図である。図２に示す通り、本実施形態の機器情報表示装置１は、入力装置１ａ、表示装置１ｂ、通信装置１ｃ、ＧＰＳ装置１ｄ、及び図１に示すドライブ装置１ｅに加えて、記憶装置１ｆ及び処理装置１ｇを備える。記憶装置１ｆは、例えばハードディスク等の外部記憶装置であり、上述したドライブ装置１ｅによって記録媒体Ｍから読み出されてインストールされたプログラムに加えて、ＥＤＤＬファイルＦ１、ＤＤファイルＦ２、及び履歴データベースＤ１（記憶手段）等を格納する。
【００２０】
上記のＥＤＤＬファイルＦ１は、フィールド機器２の特性や属性を示す各種パラメータがＥＤＤＬなる言語を用いて記述されたファイルである。このＥＤＤＬファイルＦ１は、フィールド機器２の特性や属性に応じてパラメータを階層的に定義することが可能なテキスト形式のファイルであり、フィールド機器２のベンダ等から提供される。ＤＤファイルＦ２は、ＥＤＤＬファイルＦ１を機器情報表示装置１で取り扱うことができるバイナリ形式に変換したファイルである。
【００２１】
履歴データベースＤ１は、ユーザによる機器情報表示装置１を用いたフィールド機器２に対するメンテナンス作業の履歴が格納されるデータベースである。具体的には、メンテナンス作業時にフィールド機器２からパラメータを取得した位置を示す情報（第１位置情報）、パラメータを取得したフィールド機器及び時刻を示す情報、ユーザの指示に応じて変更された表示装置１ｂの表示内容（カスタマイズ画面）を再現するための情報（再現情報）、表示内容の変更が行われた時刻を示す情報、表示装置１ｂに表示された内容（ページ）の参照回数等を示す情報が格納される。
【００２２】
ここで、メンテナンス作業は、基本的に機器情報表示装置１を操作するユーザが、作業対象であるフィールド機器２に近接した状態（フィールド機器２から数メートルも離れない状態）で行われる。このため、上述したメンテナンス作業時にフィールド機器２からパラメータを取得した位置を示す情報（第１位置情報）は、フィールド機器２の位置を示す情報として用いることが可能である。
【００２３】
処理装置１ｇは、例えばＣＰＵ（中央処理装置）であり、機器情報表示装置１の動作を統括して制御する。この処理装置１ｇが、記憶装置１ｆに格納されているプログラムを読み出して実行することにより、図２に示すトーカナイザＴ、ＤＤ解釈部１１、表示パラメータ管理部１２（表示制御手段）、表示部１３（表示制御手段）、パラメータ設定部１４、通信部１５、ＧＰＳ処理部１６（位置情報取得手段）、及びカスタマイズ画面編集部１７（表示制御手段）が実現される。
【００２４】
トーカナイザ（Tokenizer）Ｔは、ユーザの指示によって起動され、ＥＤＤＬファイルＦ１からＤＤファイルＦ２を生成する。このトーカナイザＴは、いわゆるコンパイラの機能を有するものである。尚、トーカナイザＴによってＥＤＤＬファイルＦ１からＤＤファイルＦ２が生成された後は、ＥＤＤＬファイルＦ１の内容が変更され、或いは新たなＥＤＤＬファイルＦ１が追加されない限りはトーカナイザＴを起動する必要はない。
【００２５】
ＤＤ解釈部１１は、記憶装置１ｆに記憶されたＤＤファイルＦ２を読み出して解釈することにより、フィールド機器２のパラメータにアクセスするものである。このＤＤ解釈部１１は、ライブラリとしてフィールドバス協会等から提供される。表示パラメータ管理部１２は、表示装置１ｂに表示させるパラメータの管理を行う。具体的には、ＥＤＤＬファイルＦ１（ＤＤファイルＦ２）の定義に従って、表示装置１ｂに表示させるパラメータのメニューの構造と、表示装置１ｂに表示されるパラメータの一覧とを管理する。
【００２６】
表示部１３は、表示パラメータ管理部１２で管理される情報に基づいて、表示装置１ｂにパラメータのメニューを階層的に示すメニューツリーと、メニューツリーで選択されたパラメータの一覧とをグラフィカルに表示させる。パラメータ設定部１４は、入力装置１ａから出力される操作信号に応じて、表示部１３によって表示装置１ｂに表示されたパラメータの値を変更する。通信部１５は、通信装置１ｃを制御してフィールド機器２との間で通信を行うことにより、フィールド機器２から各種パラメータを取得し、或いは、フィールド機器２に対するパラメータの設定を行う。
【００２７】
ＧＰＳ処理部１６は、ＧＰＳ装置１ｄから出力される受信信号を処理して機器情報表示装置１の位置を算出し、算出した位置を示す位置情報をカスタマイズ画面編集部１７に出力する。カスタマイズ画面編集部１７は、入力装置１ａから出力される操作信号に応じて、表示装置１ｂに表示されるパラメータ表示画面の編集及び履歴データベースＤ１の管理を行う。
【００２８】
このカスタマイズ画面編集部１７は、入力装置１ａから出力される操作信号に応じて、表示パラメータ管理部１２が管理するパラメータの変更を行うことにより、表示装置１ｂに表示させるべきパラメータ表示画面を変更する。具体的には、入力装置１ａからの操作信号に応じて、表示装置１ｂにグラフィカルに表示されているパラメータ（パラメータの値ではなくパラメータ項目）の切り取り、コピー、貼り付け等を行う。このカスタマイズ画面編集部１７が設けられていることにより、ユーザがパラメータ表示画面のグラフィカルな編集（カスタマイズ）を行うことができる。
【００２９】
また、カスタマイズ画面編集部１７は、パラメータ表示画面の編集が行われた場合には、編集後のパラメータ表示画面（カスタマイズ画面）を表示装置１ｂに再現するための情報（再現情報）を履歴データベースＤ１に格納させる。このとき、カスタマイズ画面編集部１７は、上記の情報と、編集が行われる前のパラメータ表示画面に表示されたパラメータを取得した位置を示す情報（第１位置情報）、そのパラメータを取得したフィールド機器２を特定する情報、及びそのパラメータを取得した時間を示す情報とを対応させて履歴データベースＤ１に格納させる。
【００３０】
また、カスタマイズ画面編集部１７は、所定の条件が成立した場合に、履歴データベースＤ１に格納された情報を用いて、カスタマイズ画面を表示装置１ｂに再現させる。具体的には、ＧＰＳ処理部１６から出力される現在位置情報（第２位置情報）で示される位置と、履歴データベースＤ１に格納された位置情報で示される位置との距離を算出し、この距離が予め規定された基準距離（例えば、数メートル程度）以下である場合に、カスタマイズ画面を表示装置１ｂに再現させる。尚、カスタマイズ画面編集部１７は、表示装置１ｂに表示されたページ毎の参照回数を計数し、計数した参照回数を示す情報を履歴データベースＤ１に格納させる。
【００３１】
次に、上記構成における機器情報表示装置１の動作について説明する。ここで、機器情報表示装置１の動作は、履歴データベースＤ１にデータが蓄積されていない場合の動作と、データが蓄積されている場合の動作とに大別される。以下、これら各動作について順に説明する。また、以下では説明を簡単にするために、トーカナイザＴを用いたＥＤＤＬファイルＦ１からＤＤファイルＦ２の作成は予め行われているものとする。
【００３２】
〈履歴データベースＤ１にデータが蓄積されていない場合の動作〉
まず、ユーザは、機器情報表示装置１の電源を投入し、インストールされたプログラムを起動させて図２に示すＤＤ解釈部１１〜カスタマイズ画面編集部１７の機能を実現させる。機器情報表示装置１におけるプログラムの起動が完了した後、ユーザは、機器情報表示装置１をネットワークＮに接続する作業を行う。
【００３３】
以上の作業が終了すると、通信部１５によって通信装置１ｃが制御されてネットワークＮを介したフィールド機器２との間の通信が行われ、これによりネットワークＮに接続されているフィールド機器２を示す情報が機器情報表示装置１の表示装置１ｂに一覧表示される。この一覧表示がなされている状態で、ユーザが入力装置１ａを操作して一覧表示されたフィールド機器２を示す情報の何れか１つを選択すると、選択されたフィールド機器２との間で通信が行われてパラメータが通信部１５に取得される。また、記憶装置１ｆに記憶されたＤＤファイルＦ２がＤＤ解釈部１１によって読み出されて解釈される。これにより、フィールド機器２のパラメータへのアクセスが可能になる。
【００３４】
ＤＤ解釈部１１の解釈が終了すると、表示パラメータ管理部１２によって、表示装置１ｂに表示させるパラメータのメニューの構造と、表示装置１ｂに表示させるパラメータの一覧との管理が開始される。そして、表示パラメータ管理部１２で管理される情報に基づいて、表示部１３が表示装置１ｂに対し、フィード機器２の機能ブロックをメニュー形式で１つのウィンドウ内にグラフィカルに表示する。
【００３５】
以上の表示が行われると、カスタマイズ画面編集部１７によって、履歴データベースＤ１への登録が行われる。具体的に、カスタマイズ画面編集部１７は、フィールド機器２からパラメータを取得した位置を示す情報（ＧＰＳ処理部１６から出力される現在位置情報）、ユーザによって選択されたフィールド機器２を示す情報、及びフィールド機器２からパラメータを取得した時刻を示す情報を対応させて履歴データベースＤ１に格納する（第１，第２ステップ）。
【００３６】
履歴データベースＤ１への登録が完了し、ユーザが入力装置１ａを操作してウィンドウに表示された機能ブロックを選択する操作を行うと、選択されたパラメータの一覧及びその値がウィンドウ内に表示される。尚、パラメータの一覧及びその値は、ウィンドウ内に設けられた１つ又は複数のページ毎に表示される。ここで、ユーザが入力装置１ａを操作して、参照したいパラメータが含まれるページを開くと、カスタマイズ画面編集部１７は、開かれたページの参照回数をインクリメントし、その参照回数と参照された時間とを履歴データベースＤ１に格納する。
【００３７】
また、ユーザが入力装置１ａを用いてウィンドウに表示されているパラメータの値を変更する操作を行うと、ユーザの操作に応じたパラメータの値の変更がパラメータ設定部１４によって行われる。そして、パラメータの値を変更した後に、ユーザが入力装置１ｂを操作してパラメータの設定指示を行うと、通信部１５によって通信装置１ｃが制御されてフィールド機器２との間の通信が開始され、値が変更されたパラメータがフィールド機器２に設定される。
【００３８】
また、ユーザが入力装置１ａを用いてウィンドウに表示されているパラメータの編集指示を行うと、ウィンドウの表示内容が編集可能な状態になる。かかる状態になった後に、例えばユーザが入力装置１ａを用いて表示装置１ｂに表示されているパラメータの切り取りを指示する操作を行うと、カスタマイズ画面編集部１７によってウィンドウの内容が編集されてパラメータの数が減じられる。以上の操作が終了した後に、ユーザが編集後のウィンドウの内容を保存する指示を行うと、カスタマイズ画面編集部１７は、編集後のウィンドウの内容（カスタマイズ画面）を再現するために必要な情報を、先に格納された状態（フィールド機器２からパラメータを取得した位置や時刻を示す情報等）に対応させて履歴データベースＤ１に格納する。
【００３９】
〈履歴データベースＤ１にデータが蓄積されている場合の動作〉
まず、ユーザは、履歴データベースＤ１にデータが蓄積されていない場合と同様に、機器情報表示装置１の電源を投入し、インストールされたプログラムを起動させて図２に示すＤＤ解釈部１１〜カスタマイズ画面編集部１７の機能を実現させる。機器情報表示装置１におけるプログラムの起動が完了すると、表示装置１ｂには図３（ａ）に示す初期ウィンドウＷ０が表示される。
【００４０】
図３は、本発明の第１実施形態による機器情報表示装置に表示される初期ウィンドウを示す図である。図３（ａ）に示す通り、初期ウィンドウＷ０には、プロトコル表示領域Ｒ１及びワーク領域Ｒ２並びにＧＰＳボタンＢ１が設けられている。プロトコル表示領域Ｒ１は、機器情報表示装置１で使用可能なプロトコルが一覧表示される領域である。このプロトコル選択領域Ｒ１に表示されるプロトコルとしては、例えば無線通信規格ＩＳＡ１００．１１ａに準拠したプロトコル等が挙げられる。
【００４１】
ワーク領域Ｒ２は、機器情報表示装置１の制御等を行うための各種のアイコンやネットワークＮに接続されたフィールド機器２を示す情報の一覧が表示される領域である。ＧＰＳボタンＢ１は、機器情報表示装置１の動作モードを「ＧＰＳモード」にするか否かを切り替えるためのボタンである。ここで、「ＧＰＳモード」とは、ＧＰＳ処理部１６から得られる現在位置情報を用いて周囲に位置するフィールド機器２を自動的に検索するモードである。
【００４２】
初期ウィンドウＷ０が表示された後に、ユーザが入力装置１ａを操作して初期ウィンドウＷ０に設けられたＧＰＳボタンＢ１を押下すると、機器情報表示装置１が「ＧＰＳモード」に移行し、図３（ｂ）に示す通り、初期ウィンドウＷ０のワーク領域Ｒ２にアイコンＣ１が表示される。このアイコンＣ１は、機器情報表示装置１の動作モードが「ＧＰＳモード」である旨を示すアイコンである。
【００４３】
機器情報表示装置１の操作モードが「ＧＰＳモード」に移行してから、ユーザが、機器情報表示装置１をネットワークＮに接続する作業を行うと、通信部１５によって通信装置１ｃが制御されてネットワークＮを介したフィールド機器２との間の通信が行われ、これによりネットワークＮに接続されているフィールド機器２を示す情報が機器情報表示装置１に取得される。
【００４４】
すると、ＧＰＳ処理部１６の現在位置情報がカスタマイズ画面編集部１７に取得され（第３ステップ）、履歴データベースＤ１に格納された位置情報がカスタマイズ画面編集部１７に読み出され、機器情報表示装置１の周囲に位置するフィールド機器２が自動的に検索される。具体的には、ＧＰＳ処理部１６からの現在位置情報で示される位置と、履歴データベースＤ１からの位置情報で示される位置との距離が算出されて基準距離以下のものが選別され、選別された距離が得られた位置情報に対応しているフィールド機器情報を特定する情報が履歴データベースＤ１から読み出されることによって、機器情報表示装置１の周囲に位置するフィールド機器２が自動的に検索される。
【００４５】
フィールド機器２の自動検索が行われると、ネットワークＮを介した通信によって取得された情報によって示されるフィールド機器２から、自動検索されたフィールド機器２がカスタマイズ画面編集部１７によって抽出される。そして、カスタマイズ画面編集部１７によって抽出されたフィールド機器２を示す情報が、初期ウィンドウＷ０のワーク領域Ｒ２に一覧表示される。
【００４６】
図４は、本発明の第１実施形態による機器情報表示装置における表示例を示す図である。図４（ａ）に示す例では、フィールド機器２を示す２つの情報Ｑ１，Ｑ２が初期ウィンドウＷ０のワーク領域Ｒ２に一覧表示されている。これらの情報Ｑ１，Ｑ２は、フィールド機器の外観を模式的に示すアイコンと、フィールド機器の概要を示す文字情報（例えば、製造者ＩＤ、機器タイプ、機器レビジョン、機器ＩＤを示す文字情報）とからなる情報である。
【００４７】
また、初期ウィンドウＷ０のワーク領域Ｒ２には、上記のフィールド機器２を示す情報とともに、カスタマイズ画面表示ボタンＢ２が表示される。このカスタマイズ画面表示ボタンＢ２は、ワーク領域Ｂ２に一覧表示されたフィールド機器２についてのカスタマイズ画面をフィールド機器２毎に表示させるためのボタンである。
【００４８】
ユーザが入力装置１ａを操作して、初期ウィンドウＷ０のワーク領域Ｒ２に表示されたカスタマイズ画面表示ボタンＢ２を押下すると、情報Ｑ１，Ｑ２で特定されるフィールド機器２についてのカスタマイズ画面を再現するための情報（再現情報）が、履歴データベースＤ１からカスタマイズ画面編集部１７に読み出されることによって図４（ｂ）に示す２つのウィンドウＷ１，Ｗ２が表示される。
【００４９】
ウィンドウＷ１は、図４（ａ）に示す初期ウィンドウＷ０のワーク領域Ｒ２に表示された情報Ｑ１で特定されるフィールド機器２についてのカスタマイズ画面であり、ウィンドウＷ２は、同ワーク領域Ｒ２に表示された情報Ｑ２で特定されるフィールド機器２についてのカスタマイズ画面である。このように、情報Ｑ１，Ｑ２で特定されるフィールド機器２の各々について個別にカスタマイズ画面が再現される（第４ステップ）。
【００５０】
ここで、ユーザが入力装置１ａを操作して、例えばウィンドウＷ１に表示されたタブＴ１を選択して新たなページを表示させると、カスタマイズ画面編集部１７は、表示された新たなページの参照回数をインクリメントし、その参照回数と参照された時間とを履歴データベースＤ１に格納する。尚、カスタマイズ画面を再現する場合には、参照回数が規定回数以上ものだけを再現するようにしても良い。
【００５１】
以上の通り、本実施形態では、フィールド機器２からパラメータを取得した位置（フィールド機器２の設置位置の近く）を示す情報と、カスタマイズ画面を再現するための情報とを対応させて履歴データベースＤ１に格納しておき、現在取得された位置情報で示される位置がフィールド機器２の設置位置の近くである場合には、履歴データベースＤ１に格納した情報を用いてカスタマイズ画面を再現するようにしている。これにより、現在位置の近くに設置されているフィールド機器２についてのカスタマイズ画面が自動的に表示されるため、ユーザの作業効率を飛躍的に向上させることができる。
【００５２】
〔第２実施形態〕
図５は、本発明の第２実施形態による機器情報表示装置の要部構成を示すブロック図である。図５に示す機器情報表示装置２は、図２に示す機器情報表示装置１の処理装置１ｇに入出力部２１（入出力手段）を追加した構成である。入出力部２１は、履歴データベースＤ１に格納された情報（例えば、カスタマイズ画面を再現するための情報）を外部に出力（エクスポート）可能であるとともに、履歴データベースＤ１に格納させるべき情報（例えば、カスタマイズ画面を再現するための情報）を外部から入力（インポート）可能である。
【００５３】
図６は、本発明の第２実施形態による機器情報表示装置における表示例を示す図である。図６に示す通り、本実施形態では、図４（ｂ）に示したカスタマイズ画面が再現されるウィンドウＷ１，Ｗ２に入出力ボタンＢ１１が設けられている。この入出力ボタンＢ１１が押下されることにより、入出力部２１を介した情報の出力及び入力が可能になる。尚、出力と入力との何れか一方のみを可能にしても良い。
【００５４】
以上の通り、本実施形態では、履歴データベースＤ１に格納されるべき情報の入力が可能な入出力部２１を設けているため、他のコンピュータで作成された履歴データベースを読み込むことにより、そのコンピュータの表示画面の内容を機器情報表示装置２の表示装置１ｂに再現することができる。また、本実施形態では、履歴データベースＤ１に格納された情報の出力が可能な入出力部２１を設けているため、履歴データベースＤ１を出力することにより、機器情報表示装置２の表示装置１ｂに表示された内容を、他のコンピュータで再現することができる。
【００５５】
〔第３実施形態〕
図７は、本発明の第３実施形態による機器情報表示装置の要部構成を示すブロック図である。図７に示す機器情報表示装置３は、図２に示す機器情報表示装置１の処理装置１ｇに手動編集部２２を追加した構成である。手動編集部２２は、ユーザによる入力装置１ａの操作に応じて、カスタマイズ画面に表示されるパラメータ毎の表示・非表示を設定するものである。
【００５６】
図８は、本発明の第３実施形態による機器情報表示装置における表示例を示す図である。図８（ａ）に示す通り、本実施形態では、図４（ｂ）に示したカスタマイズ画面が再現されるウィンドウＷ１，Ｗ２に手動カスタマイズボタンＢ１２が設けられている。この手動カスタマイズボタンＢ１２が押下されることにより、図８（ｂ）に示すポップアップウィンドウＷ３が表示され、パラメータ毎の表示・非表示の設定が可能になる。
【００５７】
具体的には、ポップアップウィンドウＷ３に表示されたパラメータ名に対応するチェックボックスＢＸにチェックを入れてＯＫボタンＢを押下することにより、チェックの入ったパラメータを非表示にすべき旨を示す指示が手動編集部２２からカスタマイズ画面編集部１７に出力されて非表示とされる。これに対し、非表示にしたパラメータを表示させる場合には、ポップアップウィンドウＷ３のチェックボックスＢＸのチェックボックスを外してＯＫボタンＢを押下することにより、再度表示される。
【００５８】
以上の通り、本実施形態では、カスタマイズ画面に表示されるパラメータ毎の表示・非表示を設定可能な手動編集部２２を設けているため、カスタマイズ画面を編集しなくともカスタマイズ画面の一部を変えることができる。このため、例えば参照の必要が無くなったパラメータのみを非表示とすることができ、これによりカスタマイズ画面を見やすくすることができる。
【００５９】
〔第４実施形態〕
図９は、本発明の第４実施形態による機器情報表示装置の要部構成を示すブロック図である。図９に示す機器情報表示装置４は、図２に示す機器情報表示装置１の処理装置１ｇにＧＰＳ表示部２３（表示制御手段）を追加した構成である。ＧＰＳ表示部２３は、履歴データベースＤ１にアクセスしてフィールド機器２からパラメータを取得した位置（フィールド機器２の設置位置の近く）を示す情報を取得するとともに、ＧＰＳ処理部１６から現在位置情報を取得し、これらの関係を示す二次元マップを表示装置１ｂに表示させるものである。
【００６０】
図１０は、本発明の第４実施形態による機器情報表示装置における表示例を示す図である。図１０（ａ）に示す通り、本実施形態では、初期ウィンドウＷ０に検査位置表示ボタンＢ３が設けられている。この検査位置表示ボタンＢ３は、上記の二次元マップを初期ウィンドウＷ０のワーク領域Ｒ２に表示させるためのボタンである。
【００６１】
検査位置表示ボタンＢ３を押下すると、履歴データベースＤ１に格納された情報（フィールド機器２からパラメータを取得した位置を示す情報）がＧＰＳ表示部２３に読み出されるとともに、ＧＰＳ処理部１６からの現在位置情報がＧＰＳ表示部２３で取得される。そして、図１０（ｂ）に示す通り、現在位置を示すアイコンＰ１と過去に検査を行った位置を示すアイコンＰ２との位置関係を示す二次元マップが初期ウィンドウＷ０のワーク領域Ｒ２に表示される。尚、プラント等の地図情報を用いることにより、アイコンＰ１，Ｐ２とともに建物ＢＬの外形（平面視形状の外形）を表示することが可能である。
【００６２】
以上の通り、本実施形態では、現在位置を示すアイコンＰ１と過去に検査を行った位置を示すアイコンＰ２との位置関係を示す二次元マップを表示させるＧＰＳ表示部２３を設けているため、過去に検査を行った場所を俯瞰的に確認することができる。これにより、現場に不慣れなユーザ（作業員）も容易に位置を確認することができる。
【００６３】
以上、本発明の実施形態による機器情報表示装置及び方法について説明したが、本発明は上述した実施形態に制限されることなく、本発明の範囲内で自由に変更が可能である。例えば、上記実施形態では、トーカナイザＴを用いてＥＤＤＬファイルＦ１から作成されたＤＤファイルＦ２を解釈することによりフィールド機器２のパラメータにアクセスする例について説明した。しかしながら、トーカナイザＴ及びＤＤファイルＦ２を用いずに、ＥＤＤＬファイルＦ１を直接解釈する解釈部を設けてフィールド機器２のパラメータにアクセスするようにしても良い。また、ＥＤＤＬファイルＦ１に代えてＸＭＬ（Extensible Markup Language）ファイル等の階層構造を定義可能な汎用フォーマットのファイルを用いても良い。
【００６４】
また、上記実施形態では、機器情報表示装置１の機能が、記録媒体Ｍに記録されたプログラムをドライブ装置１ｅによって読み出してインストールすることによりソフトウェア的に実現される場合を例に挙げて説明した。しかしながら、インターネット等のネットワークを介してダウンロードしたプログラム（記録媒体Ｍに記録されたプログラムと同様のプログラム）をコンピュータにインストールすることにより機器情報表示装置１の機能を実現しても良い。尚、機器情報表示装置１の機能は、ハードウェアにより実現することも可能である。
【符号の説明】
【００６５】
１〜４        機器情報表示装置
１ｂ          表示装置
２            フィールド機器
１２          表示パラメータ管理部
１３          表示部
１６          ＧＰＳ処理部
１７          カスタマイズ画面編集部
２１          入出力部
Ｄ１          履歴データベース
Ｗ１，Ｗ２    ウィンドウ
【図１】
0005435046.tif 000002
【図２】
0005435046.tif 000003
【図３】
0005435046.tif 000004
【図４】
0005435046.tif 000005
【図５】
0005435046.tif 000006
【図６】
0005435046.tif 000007
【図７】
0005435046.tif 000008
【図８】
0005435046.tif 000009
【図９】
0005435046.tif 000010
【図１０】
0005435046.tif 000011